(57)【要約】【課題】  中心導体の支持が確実で、中心導体の位置ずれが無く、且つ、安価な非可逆回路素子を提供する。【解決手段】  本発明の非可逆回路素子は、第１のヨーク１と、磁石２と、第１のヨーク１とで磁気閉回路を構成する第２のヨーク３と、平板状のフェライト部材５と、誘電体１０を介して上下方向に一部が交叉するようにフェライト部材５上に配設された複数の中心導体６〜８と、この中心導体６〜８に接続されたコンデンサＣ１〜Ｃ３と、フェライト部材５とコンデンサＣ１〜Ｃ３を支持するための絶縁材からなる支持部材４とを備え、支持部材４には、フェライト部材５とコンデンサＣ１〜Ｃ３との間に位置する中心導体６〜８を保持するための保持手段４ｃを設けたため、中心導体６〜８の自由端側であるポート部６ａ〜８ａの支持が確実となって、中心導体の位置ずれが無く、性能の良好なものが得られる。【選択図】        図３
2006033690.tif 000002
【特許請求の範囲】
【請求項１】
上板を有する第１のヨークと、前記上板の下面に配置された磁石と、平板状の底板を有し、前記第１のヨークとで磁気閉回路を構成する第２のヨークと、前記底板と前記磁石との間に配設された平板状のフェライト部材と、誘電体を介して上下方向に一部が交叉するように前記フェライト部材上に配設された複数の中心導体と、この中心導体に接続されたコンデンサと、前記フェライト部材と前記コンデンサを支持するための絶縁材からなる支持部材とを備え、前記支持部材には、前記フェライト部材と前記コンデンサとの間に位置する前記中心導体を保持するための保持手段を設けたことを特徴とする非可逆回路素子。
【請求項２】
前記支持部材は、前記フェライト部材と前記コンデンサを収納するための貫通孔が設けられ、前記支持部材の上面には突部が設けられると共に、前記突部が前記中心導体に設けられた孔に挿通され、前記突部の先端部がカシメられて、前記中心導体が前記支持部材の上面で保持されたことを特徴とする請求項１記載の非可逆回路素子。
【請求項３】
前記中心導体は、前記フェライト部材の近傍の位置で、前記支持部材によって支持されたことを特徴とする請求項１、又は２記載の非可逆回路素子。
【請求項４】
前記第１のヨークは、前記上板から折り曲げられた少なくとも対向する一対の側板を有し、前記磁石が前記側板によって位置決めされたことを特徴とする請求項１から３の何れかに記載の非可逆回路素子。
【発明の詳細な説明】
【技術分野】
【０００１】
本発明は携帯電話機等の移動体通信機の送信部等に適用されるアイソレータやサーキュレータからなる非可逆回路素子に関する。
【背景技術】
【０００２】
図６は従来の非可逆回路素子の分解斜視図で、次に、従来の非可逆回路素子の構成を図６に基づいて説明すると、箱形の磁性板からなる第１のヨーク５１は、上板５１ａと４つの側板５１ｂを有し、この第１のヨーク５１内には、合成樹脂の成型品からなるスペーサ部材５２が配置され、このスペーサ部材４２によって磁石５３が位置決めされた状態で配置されている。
【０００３】
磁性材からなるＵ字状の第２のヨーク５４は、底板５４ａと一対の側板５４ｂを有し、この第２のヨーク５４の側板５４ｂが第１のヨーク５１の側板５１ｂに結合されて、第１，第２のヨーク５１，５４とで磁気閉回路が構成されている。
【０００４】
合成樹脂の成型品からなる保持部材５５は、中央部に設けられた貫通孔５５ａと、この貫通孔５５ａの外周に設けられた複数の貫通孔５５ｂを有し、この保持部材５５は、底板５４ａ上に載置された状態で、第２のヨーク５４に組み合わされている。
【０００５】
平板状のフェライト部材５６には、金属板からなる第１，第２，第３の中心導体５７，５８、５９が一部を交叉させた状態で取り付けられ、このフェライト部材５６は、保持部材５５の貫通孔５５ａに収納されて、第１，第２，第３の中心導体５７，５８、５９が磁石５３とフェライト部材５６間に配置されている。
【０００６】
チップ型のコンデンサＣ１，Ｃ２，Ｃ３は、保持部材５５の貫通孔５５ｂに収納され、一方の電極（図示せず）が第２のヨーク５４の底板５４ａに接続されて接地されると共に、他方の電極（図示せず）は、保持部材５５の上面に沿って延びる第１，第２，第３の中心導体５７，５８、５９のポート部５７ａ、５８ａ、５９ａに接続されている。
【０００７】
また、チップ型の抵抗器Ｒは、一方の電極（図示せず）は、底板５４ａに接続されると共に、他方の電極（図示せず）は、第３の中心導体５９のポート部５９ａに接続されて、アイソレータからなる従来の非可逆回路素子が形成されている。（例えば、特許文献１参照）
【０００８】
そして、従来の非可逆回路素子は、第１，第２，第３の中心導体５７，５８，５９のポート部５７ａ、５８ａ、５９ａが単に保持部材５５の表面に位置した状態で、コンデンサＣ１，Ｃ２，Ｃ３に接続されるため、第１，第２，第３の中心導体５７，５８，５９の支持が不十分で、第１，第２，第３の中心導体５７，５８，５９が位置ずれを生じるばかりか、磁石５３を位置決めするためのスペーサ部材５２を必要として、部品点数が多くなって、コスト高で、且つ、生産性が悪くなる。
【０００９】
【特許文献１】特開２００３−１５８４０３号公報
【発明の開示】
【発明が解決しようとする課題】
【００１０】
従来の非可逆回路素子は、第１，第２，第３の中心導体５７，５８，５９のポート部５７ａ、５８ａ、５９ａが単に保持部材５５の表面に位置した状態で、コンデンサＣ１，Ｃ２，Ｃ３に接続されるため、第１，第２，第３の中心導体５７，５８，５９の支持が不十分で、第１，第２，第３の中心導体５７，５８，５９が位置ずれを生じるばかりか、磁石５３を位置決めするためのスペーサ部材５２を必要として、部品点数が多くなって、コスト高で、且つ、生産性が悪くなるという問題がある。
【００１１】
そこで、本発明は中心導体の支持が確実で、中心導体の位置ずれが無く、且つ、安価な非可逆回路素子を提供することを目的とする。
【課題を解決するための手段】
【００１２】
上記課題を解決するための第１の解決手段として、上板を有する第１のヨークと、前記上板の下面に配置された磁石と、平板状の底板を有し、前記第１のヨークとで磁気閉回路を構成する第２のヨークと、前記底板と前記磁石との間に配設された平板状のフェライト部材と、誘電体を介して上下方向に一部が交叉するように前記フェライト部材上に配設された複数の中心導体と、この中心導体に接続されたコンデンサと、前記フェライト部材と前記コンデンサを支持するための絶縁材からなる支持部材とを備え、前記支持部材には、前記フェライト部材と前記コンデンサとの間に位置する前記中心導体を保持するための保持手段を設けた構成とした。
【００１３】
また、第２の解決手段として、前記支持部材は、前記フェライト部材と前記コンデンサを収納するための貫通孔が設けられ、前記支持部材の上面には突部が設けられると共に、前記突部が前記中心導体に設けられた孔に挿通され、前記突部の先端部がカシメられて、前記中心導体が前記支持部材の上面で保持された構成とした。
【００１４】
また、第３の解決手段として、前記中心導体は、前記フェライト部材の近傍の位置で、前記支持部材によって支持された構成とした。
また、第４の解決手段として、前記第１のヨークは、前記上板から折り曲げられた少なくとも対向する一対の側板を有し、前記磁石が前記側板によって位置決めされた構成とした。
【発明の効果】
【００１５】
本発明の非可逆回路素子は、上板を有する第１のヨークと、上板の下面に配置された磁石と、平板状の底板を有し、第１のヨークとで磁気閉回路を構成する第２のヨークと、底板と磁石との間に配設された平板状のフェライト部材と、誘電体を介して上下方向に一部が交叉するようにフェライト部材上に配設された複数の中心導体と、この中心導体に接続されたコンデンサと、フェライト部材とコンデンサを支持するための絶縁材からなる支持部材とを備え、支持部材には、フェライト部材とコンデンサとの間に位置する中心導体を保持するための保持手段を設けた構成とした。
このように、フェライト部材とコンデンサとの間に位置する中心導体を保持するための保持手段を保持部材に設けると、中心導体の自由端側であるポート部の支持が確実となって、中心導体の位置ずれが無く、性能の良好なものが得られる。
【００１６】
また、支持部材は、フェライト部材とコンデンサを収納するための貫通孔が設けられ、支持部材の上面には突部が設けられると共に、突部が中心導体に設けられた孔に挿通され、突部の先端部がカシメられて、中心導体が支持部材の上面で保持されたため、中心導体の支持が簡単で、生産性が良く、安価なものが得られる。
【００１７】
また、中心導体は、フェライト部材の近傍の位置で、支持部材によって支持されたため、中心導体の交叉箇所での位置ずれが防止できて、性能の良好なものが得られる。
【００１８】
また、第１のヨークは、上板から折り曲げられた少なくとも対向する一対の側板を有し、磁石が側板によって位置決めされたため、磁石を位置決めするための別部品を必要とせず、安価で、生産性の良好なものが得られる。
【発明を実施するための最良の形態】
【００１９】
本発明の非可逆回路素子の図面を説明すると、図１は本発明の非可逆回路素子に係る平面図、図２は本発明の非可逆回路素子に係る断面図、図３は本発明の非可逆回路素子に係り、中心導体の保持とコンデンサの状態を示す要部断面図、図４は本発明の非可逆回路素子に係り、第１のヨークと磁石を取り去った状態の平面図、図５は本発明の非可逆回路素子に係る第２のヨークの平面図である。
【００２０】
次に、本発明の非可逆回路素子に係る構成を図１〜図５の基づいて説明すると、磁性板（鉄板等）からなる箱形の第１のヨーク１は、四角形状の上板１ａと、この上板１ａの辺から下方に折り曲げられた４つの側板１ｂを有し、この第１のヨーク１内には、磁石２が側板１ｂで位置決めされた状態で適宜手段によって取り付けられている。
【００２１】
磁性板（鉄板等）からなる箱形の第２のヨーク３は、四角形状の平板状の底板３ａと、この底板２ａの辺から上方に折り曲げられた４つの側板３ｂを有し、この第２のヨーク３には、合成樹脂の成形加工によって保持部材４が一体に設けられ、この保持部材４は、特に図５に示すように、底板３ａが露出した状態で中央部に設けられた貫通孔４ａと、底板３ａが露出した状態で、貫通孔４ａの周囲に設けられた複数の貫通孔４ｂと、貫通孔４ａ、４ｂの間で、貫通孔４ａの近傍に設けられた複数の突部４ｃを有する。
【００２２】
ＹＩＧ（Ｙｔｔｒｉｕｍ  ｉｒｏｎ  ｇａｒｎｅｔ）等からなる多角形等の平板状のフェライト部材５は、保持部材４の中央部に位置する貫通孔４ａに位置決めされて取り付けられるようになっている。
【００２３】
銅等の金属薄板からなる第１，第２，第３の中心導体６，７，８は、ポート部６ａ、７ａ、８ａと、アース部６ｂ、７ｂ、８ｂと、ポート部６ａ、７ａ、８ａに設けられた孔６ｃ、７ｃ、８ｃを有し、この第１，第２，第３の中心導体６，７，８のそれぞれのアース部６ｂ、７ｂ、８ｂの一端は、金属薄板からなる接地板部９に連結されて、第１，第２，第３の中心導体６，７，８と接地板部９が一体になっている。
即ち、第１，第２，第３の中心導体６，７，８と接地板部９は、１枚の金属薄板で形成されている。
【００２４】
そして、フェライト部材５への第１，第２，第３の中心導体６，７，８と接地板部９の取付は、先ず、フェライト部材５の下面に接地板部９を配置した状態で、第１，第２，第３の中心導体６，７，８がフェライト部材５の側面に沿って折り曲げられた後、更に、第１，第２，第３の中心導体６，７，８がフェライト部材５の上面側に折り曲げられると、図４に示すように、フェライト部材５の中央部で第１，第２，第３の中心導体６，７，８の一部が交叉状態になると共に、ポート部６ａ、７ａ、８ａ側がフェライト部材５の上面から外方に突出し、且つ、保持部材４の上面に沿って延びた状態となる。
【００２５】
また、第１，第２，第３の中心導体６，７，８の交叉する箇所には、相互の絶縁を図るために誘電体１０が設けられており、このような状態で組み合わされた第１，第２，第３の中心導体６，７，８とフェライト部材５が保持部材４の貫通孔４ａに挿入されると、接地板部９が底板３ａに接触して、第１，第２，第３の中心導体６，７，８のアース部６ｂ、７ｂ、８ｂが接地されると共に、ポート部６ａ、７ａ、８ａ側が保持部材４の上面側で延びた状態になる。
【００２６】
チップ型や単板型等からなる第１，第２，第３のコンデンサＣ１，Ｃ２，Ｃ３は、平板状の絶縁体１１と、この絶縁体１１を挟んで対向して設けられた第１，第２の電極１２ａ、１２ｂを有し、この第１，第２，第３のコンデンサＣ１，Ｃ２，Ｃ３は、保持部材４の貫通孔４ｂ内にそれぞれ挿入、位置決めされて取り付けられる。
【００２７】
そして、第１，第２，第３のコンデンサＣ１，Ｃ２，Ｃ３の下部電極である第２の電極１２ｂは、底板３ｂに半田付けされて接地されると共に、上部電極である第１の電極１２ａは、第１，第２，第３の中心導体６，７，８のそれぞれのポート部６ａ、７ａ、８ａが半田付けによって接続されている。
【００２８】
抵抗器Ｒは、第１，第２の電極１３ａ、１３ｂと、この第１，第２の電極１３ａ、１３ｂ間に設けられた抵抗体１３ｃを有し、この抵抗器Ｒは、保持部材４の１つの貫通孔４ｂ内に挿入、位置決めされ、第１の電極１３ａは、底板３ａから絶縁された状態で、第３の中心導体８のポート部８ａに半田付けされて接続されると共に、第２の電極１３ｂは、底板３ａに接続されて接地されている。
【００２９】
また、第１，第２，第３の中心導体６，７，８のポート部６ａ、７ａ、８ａの第１，第２，第３のコンデンサＣ１，Ｃ２，Ｃ３、及び抵抗器Ｒへの接続は、先ず、第１，第２，第３のコンデンサＣ１，Ｃ２，Ｃ３、及び抵抗器Ｒを貫通孔４ｂに挿入した後、第１，第２，第３の中心導体６，７，８が組み合わされたフェライト部材５を貫通孔４ａに挿入すると共に、第１，第２，第３の中心導体６，７，８の孔６ｃ、７ｃ、８ｃにそれぞれ突部４ｃを挿通し、しかる後、突部４ｃの先端部をカシメる。
【００３０】
その結果、フェライト部材５と第１，第２，第３のコンデンサＣ１，Ｃ２，Ｃ３との間に位置する第１，第２，第３の中心導体６，７，８がフェライト部材５の近傍で支持され、これによって中心導体の保持手段が形成される。
しかる後、ポート部６ａ、７ａ、８ａが第１，第２，第３のコンデンサＣ１，Ｃ２，Ｃ３、及び抵抗器Ｒに半田によって接続されるようになっている。
【００３１】
そして、フェライト部材５は、磁石２と底板３ａとの間に配置され、また、第１，第２，第３の中心導体６，７，８は、磁石２とフェライト部材５との間に配置されるようになって、本発明のアイソレータからなる非可逆回路素子が形成されている。
【００３２】
なお、上記実施例では、アイソレータに適用されたもので説明したが、抵抗器Ｒを無くしたサーキュレータからなる非可逆回路素子でも良い。
【図面の簡単な説明】
【００３３】
【図１】本発明の非可逆回路素子に係る平面図。
【図２】本発明の非可逆回路素子に係る断面図。
【図３】本発明の非可逆回路素子に係り、中心導体の保持とコンデンサの状態を示す要部断面図。
【図４】本発明の非可逆回路素子に係り、第１のヨークと磁石を取り去った状態の平面図。
【図５】本発明の非可逆回路素子に係る第２のヨークの平面図。
【図６】従来の非可逆回路素子の分解斜視図。
【符号の説明】
【００３４】
１：第１のヨーク
１ａ：上板
１ｂ：側板
２：磁石
３：第２のヨーク
３ａ：底板
３ｂ：側板
４：保持部材
４ａ、４ｂ：貫通孔
４ｃ：突部
５：フェライト部材
６：第１の中心導体
６ａ：ポート部
６ｂ：アース部
６ｃ：孔
７：第２の中心導体
７ａ：ポート部
７ｂ：アース部
７ｃ：孔
８：第３の中心導体
８ａ：ポート部
８ｂ：アース部
８ｃ：孔
９：接地板部
１０：誘電体
Ｃ１：第１のコンデンサ
Ｃ２：第２のコンデンサ
Ｃ３：第３のコンデンサ
１１：絶縁体
１２ａ：第１の電極
１２ｂ：第２の電極
Ｒ：抵抗器
１３ａ：第１の電極
１３ｂ：第２の電極
１３ｃ：抵抗体
【図１】
2006033690.tif 000003
【図２】
2006033690.tif 000004
【図３】
2006033690.tif 000005
【図４】
2006033690.tif 000006
【図５】
2006033690.tif 000007
【図６】
2006033690.tif 000008